(57)【要約】【課題】ユーザの識別情報を記憶した識別情報記憶媒体とその読取装置を利用して、入退室を自動的に正確に管理できる入退室管理システムを提供する。【解決手段】識別情報記憶媒体と、室内領域の出入り口付近に設けられ、ユーザの識別情報を読取る第１の識別情報読取り部と、当該第１の識別情報読取り部から入室方向に沿って間隔をあけて設けられ、ユーザの識別情報を読取る第２の識別情報読取り部とを備える。読取ったユーザの識別情報それぞれが一致すると判断したときに、第１の識別情報読取り部が先に当該ユーザの識別情報を読取り、第２の識別情報読取り部が後に当該ユーザの識別情報を読取った場合に入室と判断し、第２の識別情報読取り部が先に当該ユーザの識別情報を読取り、第１の識別情報読取り部が後に当該ユーザの識別情報を読取った場合に退室と判断する。【選択図】図１
2010225067.tif 000002
【特許請求の範囲】
【請求項１】
室内領域へのユーザの入退室を管理する入退室管理システムであって、
識別情報記憶媒体と、
前記室内領域の出入り口からの入退出経路に設けられ、前記識別情報記憶媒体を所持したユーザが通過した際に、当該識別情報記憶媒体に記憶されたユーザの識別情報を読取る第１の識別情報読取り部と、
前記入退出経路に、前記第１の識別情報読取り部から間隔をあけて設けられ、前記識別情報記憶媒体を所持したユーザが通過した際に、当該識別情報記憶媒体に記憶されたユーザの識別情報を読取る第２の識別情報読取り部と、
前記第１の識別情報読取り部が読取ったユーザの識別情報と前記第２の識別情報読取り部が読取ったユーザの識別情報とが一致するか否かを判断する識別情報判断部と、
前記識別情報判断部が前記第１の識別情報読取り部が読取ったユーザ識別情報と前記第２の識別情報読取り部が読取ったユーザの識別情報とが一致すると判断したときに、前記第１の識別情報読取り部が先に当該ユーザの識別情報を読取り、前記第２の識別情報読取り部が後に当該ユーザの識別情報を読取った場合に入室と判断し、前記第２の識別情報読取り部が先に当該ユーザの識別情報を読取り、前記第１の識別情報読取り部が後に当該ユーザの識別情報を読取った場合に退室と判断する入退室判断部とを備えることを特徴とする、入退室管理システム。
【請求項２】
前記入退室判断部が入室、又は退室と判断したときに、前記室内領域のユーザの残留人数をカウントする残留人数カウント部と、
前記残留人数カウント部のカウント値が０のときに、前記入退室判断部が入室と判断した場合に、前記室内領域の設備動力源をオンし、当該前記入退室判断部が退室と判断したときに、当該残留人数カウント部のカウント値が０になった場合に、当該室内領域の設備動力源をオフする設備動力源制御部とを更に備える、請求項１に記載の入退室管理システム。
【請求項３】
出張及び／又は配送命令の入力を予め受付ける出張及び／又は配送命令入力部と、
前記出張及び／又は配送命令入力部が出張及び／又は配送命令の入力を予め受付けたときに、前記入退室判断部が退室と判断した場合に、出張及び／又は配送に出発したことを記録し、前記出張及び／又は配送命令入力部が出張及び／又は配送命令の入力を予め受付けたときに、前記入退室判断部が入室と判断した場合に出張及び／又は配送から帰着したことを記録する出張及び／又は配送記録部とを更に備える、請求項１に記載の入退室管理システム。
【請求項４】
前記識別情報記憶媒体は、ＲＦＩＤ（Radio Frequency IDentification）カードであり、前記第１、及び第２の識別情報読取り部は、ＲＦＩＤリーダである、請求項１〜３のいずれかに記載の入退室管理システム。
【請求項５】
室内領域への入退室を管理する入退室管理サーバであって、
前記室内領域の出入り口からの入退出経路に設けられた第１の識別情報読取り部が識別情報記憶媒体からユーザの識別情報を読取ったときに、当該ユーザの識別情報を記憶する第１の識別情報記憶部と、
前記第１の識別情報読取り部から間隔をあけて前記入退出経路に設けられた第２の識別情報読取り部が識別情報記憶媒体からユーザの識別情報を読取ったときに、当該ユーザの識別情報を記憶する第２の識別情報記憶部と、
前記第１の識別情報記憶部に記憶されたユーザの識別情報と前記第２の識別情報記憶部に記憶されたユーザの識別情報とが一致するか否かを判断する識別情報判断部と、
前記識別情報判断部が前記第１の識別情報記憶部に記憶されたユーザ識別情報と前記第２の識別情報記憶部に記憶されたユーザの識別情報とが一致すると判断したときに、前記第１の識別情報記憶部が先に当該ユーザの識別情報を記憶し、前記第２の識別情報記憶部が後に当該ユーザの識別情報を記憶した場合に入室と判断し、前記第２の識別情報記憶部が先に当該ユーザの識別情報を記憶し、前記第１の識別情報記憶部が後に当該ユーザの識別情報を記憶した場合に退室と判断する入退室判断部とを備えることを特徴とする、入退室管理サーバ。
【請求項６】
前記入退室判断部が入室、又は退室と判断したときに、前記室内領域のユーザの残留人数をカウントする残留人数カウント部と、
前記残留人数カウント部のカウント値が０のときに、前記入退室判断部が入室と判断した場合に、前記室内領域の設備動力源をオンし、当該前記入退室判断部が退室と判断したときに、当該残留人数カウント部のカウント値が０になった場合に、当該室内領域の設備動力源をオフする設備動力源制御部とを更に備える、請求項５に記載の入退室管理サーバ。
【請求項７】
出張及び／又は配送命令の入力を予め受付ける出張及び／又は配送命令入力部と、
前記出張及び／又は配送命令入力部が出張及び／又は配送命令の入力を予め受付けたときに、前記入退室判断部が退室と判断した場合に、出張及び／又は配送に出発したことを記録し、前記出張及び／又は配送命令入力部が出張及び／又は配送命令の入力を予め受付けたときに、前記入退室判断部が入室と判断した場合に、出張及び／又は配送から帰着したことを記録する出張及び／又は配送記録部とを更に備える、請求項５に記載の入退室管理サーバ。
【請求項８】
前記識別情報記憶媒体は、ＲＦＩＤカードであり、前記第１、及び第２の識別情報読取り部は、ＲＦＩＤリーダである、請求項５〜７のいずれかに記載の入退室管理サーバ。
【請求項９】
室内領域への入退室を管理する入退室管理方法であって、
識別情報記憶媒体を所持したユーザが前記室内領域の出入り口からの入退出経路に設けられた第１の識別情報読取り部を通過した際に、当該第１の識別情報読取り部により、当該識別情報記憶媒体に記憶された識別情報を読取る第１の識別情報読取りステップと、
前記識別情報記憶媒体を所持したユーザが前記第１の識別情報読取り部から間隔をあけて前記入退出経路に設けられた第２の識別情報読取り部を通過した際に、当該第２の識別情報読取り部により、前記識別情報記憶媒体に記憶された識別情報を読取る第２の識別情報読取りステップと、
前記第１の識別情報読取りステップで読取ったユーザの識別情報と前記第２の識別情報読取りステップで読取ったユーザの識別情報とが一致するか否かを判断する識別情報判断ステップと、
前記識別情報判断ステップにおいて、前記第１の識別情報読取りステップで読取ったユーザ識別情報と前記第２の識別情報読取りステップで読取ったユーザの識別情報とが一致すると判断したときに、前記第１の識別情報読取りステップで先に当該ユーザの識別情報を読取り、前記第２の識別情報読取りステップで後に当該ユーザの識別情報を読取った場合に入室と判断し、前記第２の識別情報読取りステップで先に当該ユーザの識別情報を読取り、前記第１の識別情報読取りステップで後に当該ユーザの識別情報を読取った場合に退室と判断する入退室判断ステップとを備えることを特徴とする、入退室管理方法。
【請求項１０】
前記入退室判断ステップで入室、又は退室と判断したときに、前記室内領域のユーザの残留人数をカウントする残留人数カウントステップと、
前記残留人数カウントステップでのカウント値が０のときに、前記入退室判断ステップで入室と判断した場合に、前記室内領域の設備動力源をオンし、当該前記入退室判断ステップで退室と判断したときに、当該残留人数カウント部のカウント値が０になった場合に、当該室内領域の設備動力源をオフする設備動力源制御ステップとを更に備える、請求項９に記載の入退室管理方法。
【請求項１１】
出張及び／又は配送命令の入力を予め受付ける出張及び／又は配送命令入力ステップと、
前記出張及び／又は配送命令入力ステップで出張及び／又は配送命令の入力を予め受付けたときに、前記入退室判断ステップで退室と判断した場合に、出張及び／又は配送に出発したことを記録し、前記出張及び／又は配送命令入力ステップで出張及び／又は配送命令の入力を予め受付けたときに、前記入退室判断ステップで入室と判断した場合に、出張及び／又は配送から帰着したことを記録する出張及び／又は配送記録ステップとを更に備える、請求項９に記載の入退室管理方法。
【請求項１２】
前記識別情報記憶媒体は、ＲＦＩＤカードであり、前記第１、及び第２の識別情報読取り部は、ＲＦＩＤリーダである、請求項９〜１１のいずれかに記載の入退室管理方法。
【請求項１３】
室内領域への入退室を管理する入退室管理プログラムであって、
コンピュータに、
前記室内領域の出入り口からの入退出経路に設けられた第１の識別情報読取り部が識別情報記憶媒体からユーザの識別情報を読取ったときに、当該ユーザの識別情報を第１の識別情報記憶部へ記憶させる第１の識別情報読取りステップと、
前記第１の識別情報読取り部から間隔をあけて前記入退出経路に設けられた第２の識別情報読取り部が識別情報記憶媒体からユーザの識別情報を読取ったときに、当該ユーザの識別情報を第２の識別情報記憶部へ記憶させる第２の識別情報読取りステップと、
前記第１の識別情報読取りステップで読取ったユーザの識別情報と前記第２の識別情報読取りステップで読取ったユーザの識別情報とが一致するか否かを判断する識別情報判断ステップと、
前記識別情報判断ステップにおいて、前記第１の識別情報読取りステップで読取ったユーザ識別情報と前記第２の識別情報読取りステップで読取ったユーザの識別情報とが一致すると判断したときに、前記第１の識別情報読取りステップで先に当該ユーザの識別情報を読取り、前記第２の識別情報読取りステップで後に当該ユーザの識別情報を読取った場合に入室と判断し、前記第２の識別情報読取りステップで先に当該ユーザの識別情報を読取り、前記第１の識別情報読取りステップで後に当該ユーザの識別情報を読取った場合に退室と判断する入退室判断ステップと実行させることを特徴とする、入退室管理プログラム。
【請求項１４】
前記コンピュータに、
前記入退室判断部が入室、又は退室と判断したときに、前記室内領域のユーザの残留人数をカウントする残留人数カウントステップと、
前記残留人数カウントステップでのカウント値が０のときに、前記入退室判断ステップで入室と判断した場合に、前記室内領域の設備動力源をオンし、当該前記入退室判断ステップで退室と判断したときに、当該残留人数カウント部のカウント値が０になった場合に、当該室内領域の設備動力源をオフする設備動力源制御ステップとを更に実行させる、請求項１３に記載の入退室管理プログラム。
【請求項１５】
前記コンピュータに、
出張及び／又は配送命令の入力を予め受付ける出張及び／又は配送命令入力ステップと、
前記出張及び／又は配送命令入力ステップで出張及び／又は配送命令の入力を予め受付けたときに、前記入退室判断ステップで退室と判断した場合に、出張及び／又は配送に出発したことを記録し、前記出張及び／又は配送命令入力ステップで出張及び／又は配送命令の入力を予め受付けたときに、前記入退室判断ステップで入室と判断した場合に、出張及び／又は配送から帰着したことを記録する出張及び／又は配送記録ステップとを更に実行させる、請求項１３に記載の入退室管理プログラム。
【請求項１６】
前記識別情報記憶媒体は、ＲＦＩＤカードであり、前記第１、及び第２の識別情報読取り部は、ＲＦＩＤリーダである、請求項１３〜１５のいずれかに記載の入退室管理プログラム。
【発明の詳細な説明】
【技術分野】
【０００１】
本発明は、入退室を管理する技術に関し、より特定的には、ユーザの識別情報を記憶した識別情報記憶媒体とその読取装置を利用して、入退室を自動的に正確に管理できる入退室管理システム、入退室管理サーバ、入退室管理方法、及び入退室管理プログラムに関する。
【背景技術】
【０００２】
従業員や取引業者が多い事業所や、２４時間のほぼ全時間帯にわたり人の出入りがある部門では、入退出管理が曖昧になり勝ちで、最終退出者が不明確になり、パソコンの電源の消し忘れや電燈や空調など動力設備の消し忘れが発生し、パソコン等コンピュータ内のデータ保護や省エネ対策が不十分になっている。
【０００３】
特許文献1では、1台のＲＦＩＤ（Radio Frequency IDentification）リーダで、管理対象者が携帯したＲＦＩＤカードを読み取り、その読み取り順により、入退室の区別を判断している。特許文献２では、各施設の入口に1台のＲＦＩＤリーダを設置して入退室の管理を行っている。さらに、特許文献３では、カード挿入による読取方式により、管理対象者の出退勤管理を行い、同時に自動でドア開閉を行う。入室か退室かの判断はドアの表裏に設置されたセンサで判別を行い、出社/退社人数を演算して室内照明等の制御を自動化している。また、特許文献４では、ドア開閉用識別読取装置とパソコンの電源を連携（遠隔操作）させ、ドアを経由していない者のコンピュータアクセスを防止している。
【先行技術文献】
【特許文献】
【０００４】
【特許文献１】特開２００３−２１６９９４号公報
【特許文献２】特開２００６−０１８６３３号公報
【特許文献３】特開平０５−０３５９５２号公報
【特許文献４】特開２００４−２６５４４０号公報
【発明の概要】
【発明が解決しようとする課題】
【０００５】
しかしながら、上記従来の技術では、１台のＲＦＩＤリーダ装置にＲＦＩＤを読取らせている。そのため、時間ログ情報が採取出来たとしても、入退室の判断は、先の時間ログ情報から入室と判断し、後の時間ログ情報から退室と判断する。この判断には、採取した時間ログ情報と管理対象者からの申請との人為的な論理的照合作業が必要になるため、特定の運用管理者を必要とする。
【０００６】
そこで、本発明は、上記問題に鑑みてなされた。すなわち、ユーザの識別情報を記憶した識別情報記憶媒体とその読取装置を利用して、入退室を自動的に正確に管理できる入退室管理システム、入退室管理サーバ、入退室管理方法、及び入退室管理プログラムを提供することを目的とする。
【課題を解決するための手段】
【０００７】
上記の目的を達成するために、以下に開示する入退室管理システムは、室内領域へのユーザの入退室を管理する入退室管理システムであって、識別情報記憶媒体と、前記室内領域の出入り口からの入退出経路に設けられ、前記識別情報記憶媒体を所持したユーザが通過した際に、当該識別情報記憶媒体に記憶されたユーザの識別情報を読取る第１の識別情報読取り部と、前記入退出経路に、前記第１の識別情報読取り部から間隔をあけて設けられ、前記識別情報記憶媒体を所持したユーザが通過した際に、当該識別情報記憶媒体に記憶されたユーザの識別情報を読取る第２の識別情報読取り部と、前記第１の識別情報読取り部が読取ったユーザの識別情報と前記第２の識別情報読取り部が読取ったユーザの識別情報とが一致するか否かを判断する識別情報判断部と、前記識別情報判断部が前記第１の識別情報読取り部が読取ったユーザ識別情報と前記第２の識別情報読取り部が読取ったユーザの識別情報とが一致すると判断したときに、前記第１の識別情報読取り部が先に当該ユーザの識別情報を読取り、前記第２の識別情報読取り部が後に当該ユーザの識別情報を読取った場合に入室と判断し、前記第２の識別情報読取り部が先に当該ユーザの識別情報を読取り、前記第１の識別情報読取り部が後に当該ユーザの識別情報を読取った場合に退室と判断する入退室判断部とを備える。
【発明の効果】
【０００８】
上記の構成によれば、室内領域の入退出経路に設けられた第１の識別情報読取り部と、当該第１の識別情報読取り部から間隔をあけて前記入退出経路に設けられた第２の識別情報読取り部を利用して、ユーザの識別情報を読取って入退室を判断するため、入退室を自動的に正確に管理できる入退室管理システムを提供することができる。
【図面の簡単な説明】
【０００９】
【図１】本発明の実施形態１に係る入退室管理システムが設置された建物の模式図
【図２】本発明の実施形態１に係る入退室管理システムの全体構成を示すブロック図
【図３】ＲＦＩＤ配布マスタを示す図
【図４】ＲＦＩＤ読取りデータマスタを示す図
【図５】行動判断マスタを示す図
【図６】本発明の実施形態１に係る入退室管理システムの入退室管理処理の流れを示すフロー図
【図７】本発明の実施形態２〜４に係る入退室管理システムを示す概念図
【図８】本発明の実施形態２に係る入退室管理システムの全体構成を示すブロック図
【図９】ＲＦＩＤ配布マスタを示す図
【図１０】ＲＦＩＤ読取りデータマスタを示す図
【図１１】動力マスタを示す図
【図１２】勤怠データマスタを示す図
【図１３】本発明の実施形態２に係る入退室管理システムの入室管理処理の流れを示すフロー図
【図１４】本発明の実施形態３に係る入退室管理システムの全体構成を示すブロック図
【図１５】行動判断マスタを示す図
【図１６】出張命令データマスタを示す図
【図１７】本発明の実施形態３に係る入退室管理システムの退室管理処理の流れを示すフロー図
【図１８】本発明の実施形態４に係る入退室管理システムの全体構成を示すブロック図
【図１９】配送指示命令データマスタを示す図
【図２０】勤務データマスタを示す図
【図２１】本発明の実施形態４に係る入退室管理システムの入退室管理処理の流れを示すフロー図
【発明を実施するための形態】
【００１０】
本発明の一実施形態に係る入退室管理システムは、室内領域へのユーザの入退室を管理する入退室管理システムであって、識別情報記憶媒体と、前記室内領域の出入り口からの入退出経路に設けられ、前記識別情報記憶媒体を所持したユーザが通過した際に、当該識別情報記憶媒体に記憶されたユーザの識別情報を読取る第１の識別情報読取り部と、前記入退出経路に、前記第１の識別情報読取り部から間隔をあけて設けられ、前記識別情報記憶媒体を所持したユーザが通過した際に、当該識別情報記憶媒体に記憶されたユーザの識別情報を読取る第２の識別情報読取り部と、前記第１の識別情報読取り部が読取ったユーザの識別情報と前記第２の識別情報読取り部が読取ったユーザの識別情報とが一致するか否かを判断する識別情報判断部と、前記識別情報判断部が前記第１の識別情報読取り部が読取ったユーザ識別情報と前記第２の識別情報読取り部が読取ったユーザの識別情報とが一致すると判断したときに、前記第１の識別情報読取り部が先に当該ユーザの識別情報を読取り、前記第２の識別情報読取り部が後に当該ユーザの識別情報を読取った場合に入室と判断し、前記第２の識別情報読取り部が先に当該ユーザの識別情報を読取り、前記第１の識別情報読取り部が後に当該ユーザの識別情報を読取った場合に退室と判断する入退室判断部とを備える。
【００１１】
上記構成によれば、室内領域の出入り口からの入退出経路に設けられた第１の識別情報読取り部と当該第１の識別情報読取り部から間隔をあけて前記入退出経路に設けられた第２の識別情報読取り部を利用して、ユーザの識別情報を読取って入退室を判断するため、入退室を自動的に正確に管理できる入退室管理システムを提供することができる。
【００１２】
上記の入退室管理システムにおいて、前記入退室判断部が入室、又は退室と判断したときに、前記室内領域のユーザの残留人数をカウントする残留人数カウント部と、前記残留人数カウント部のカウント値が０のときに、前記入退室判断部が入室と判断した場合に、前記室内領域の設備動力源をオンし、当該前記入退室判断部が退室と判断したときに、当該残留人数カウント部のカウント値が０になった場合に、当該室内領域の設備動力源をオフする設備動力源制御部とを更に備えることが好ましい。
【００１３】
上記構成によれば、室内領域の残留人数を管理して、設備動力源のオンオフを制御するため、設備動力源の消し忘れがなくなり、省エネ対策の向上が自動的に図れる入退室管理システムを提供することができる。
【００１４】
上記の入退室管理システムにおいて、出張及び／又は配送命令の入力を予め受付ける出張及び／又は配送命令入力部と、前記出張及び／又は配送命令入力部が出張及び／又は配送命令の入力を予め受付けたときに、前記入退室判断部が退室と判断した場合に、出張及び／又は配送に出発したことを記録し、前記出張及び／又は配送命令入力部が出張及び／又は配送命令の入力を予め受付けたときに、前記入退室判断部が入室と判断した場合に出張及び／又は配送から帰着したことを記録する出張及び／又は配送記録部とを更に備えることが好ましい。
【００１５】
上記構成によれば、出張等の出発、及び帰着を記録できるため、出張等を勤務実績に自動的に反映することができる入退室管理システムを提供することができる。
【００１６】
上記の入退室管理システムにおいて、前記識別情報記憶媒体は、ＲＦＩＤ（Radio Frequency IDentification）カードであり、前記第１、及び第２の識別情報読取り部は、ＲＦＩＤリーダであることが好ましい。
【００１７】
また、本発明の一実施形態に係る入退室管理サーバは、室内領域への入退室を管理する入退室管理サーバであって、前記室内領域の出入り口からの入退出経路に設けられた第１の識別情報読取り部が識別情報記憶媒体からユーザの識別情報を読取ったときに、当該ユーザの識別情報を記憶する第１の識別情報記憶部と、前記第１の識別情報読取り部から間隔をあけて前記入退出経路に設けられた第２の識別情報読取り部が識別情報記憶媒体からユーザの識別情報を読取ったときに、当該ユーザの識別情報を記憶する第２の識別情報記憶部と、前記第１の識別情報記憶部に記憶されたユーザの識別情報と前記第２の識別情報記憶部に記憶されたユーザの識別情報とが一致するか否かを判断する識別情報判断部と、前記識別情報判断部が前記第１の識別情報記憶部に記憶されたユーザ識別情報と前記第２の識別情報記憶部に記憶されたユーザの識別情報とが一致すると判断したときに、前記第１の識別情報記憶部が先に当該ユーザの識別情報を記憶し、前記第２の識別情報記憶部が後に当該ユーザの識別情報を記憶した場合に入室と判断し、前記第２の識別情報記憶部が先に当該ユーザの識別情報を記憶し、前記第１の識別情報記憶部が後に当該ユーザの識別情報を記憶した場合に退室と判断する入退室判断部とを備える。
【００１８】
上記構成によれば、室内領域の出入り口からの入退出経路に設けられた第１の識別情報読取り部と当該第１の識別情報読取り部から間隔をあけて前記入退出経路に設けられた第２の識別情報読取り部を利用して、ユーザの識別情報を読取って入退室を判断するため、入退室を自動的に正確に管理できる入退室管理サーバを提供することができる。
【００１９】
上記の入退室管理サーバにおいて、前記入退室判断部が入室、又は退室と判断したときに、前記室内領域のユーザの残留人数をカウントする残留人数カウント部と、前記残留人数カウント部のカウント値が０のときに、前記入退室判断部が入室と判断した場合に、前記室内領域の設備動力源をオンし、当該前記入退室判断部が退室と判断したときに、当該残留人数カウント部のカウント値が０になった場合に、当該室内領域の設備動力源をオフする設備動力源制御部とを更に備えることを特徴とする。
【００２０】
上記構成によれば、室内領域の残留人数を管理して、設備動力源のオンオフを制御するため、設備動力源の消し忘れがなくなり、省エネ対策の向上が自動的に図れる入退室管理サーバを提供することができる。
【００２１】
上記の入退室管理サーバにおいて、出張及び／又は配送命令の入力を予め受付ける出張及び／又は配送命令入力部と、前記出張及び／又は配送命令入力部が出張及び／又は配送命令の入力を予め受付けたときに、前記入退室判断部が退室と判断した場合に、出張及び／又は配送に出発したことを記録し、前記出張及び／又は配送命令入力部が出張及び／又は配送命令の入力を予め受付けたときに、前記入退室判断部が入室と判断した場合に、出張及び／又は配送から帰着したことを記録する出張及び／又は配送記録部とを更に備えることが好ましい。
【００２２】
上記構成によれば、出張等の出発、及び帰着を記録できるため、出張等を勤務実績に自動的に反映することができる入退室管理サーバを提供することができる。
【００２３】
上記の入退室管理サーバにおいて、前記識別情報記憶媒体は、ＲＦＩＤカードであり、前記第１、及び第２の識別情報読取り部は、ＲＦＩＤリーダであることが好ましい。
【００２４】
また、本発明の一実施形態に係る入退室管理方法は、室内領域への入退室を管理する入退室管理方法であって、識別情報記憶媒体を所持したユーザが前記室内領域の出入り口からの入退出経路に設けられた第１の識別情報読取り部を通過した際に、当該第１の識別情報読取り部により、当該識別情報記憶媒体に記憶された識別情報を読取る第１の識別情報読取りステップと、前記識別情報記憶媒体を所持したユーザが前記第１の識別情報読取り部から間隔をあけて前記入退出経路に設けられた第２の識別情報読取り部を通過した際に、当該第２の識別情報読取り部により、前記識別情報記憶媒体に記憶された識別情報を読取る第２の識別情報読取りステップと、前記第１の識別情報読取りステップで読取ったユーザの識別情報と前記第２の識別情報読取りステップで読取ったユーザの識別情報とが一致するか否かを判断する識別情報判断ステップと、前記識別情報判断ステップにおいて、前記第１の識別情報読取りステップで読取ったユーザ識別情報と前記第２の識別情報読取りステップで読取ったユーザの識別情報とが一致すると判断したときに、前記第１の識別情報読取りステップで先に当該ユーザの識別情報を読取り、前記第２の識別情報読取りステップで後に当該ユーザの識別情報を読取った場合に入室と判断し、前記第２の識別情報読取りステップで先に当該ユーザの識別情報を読取り、前記第１の識別情報読取りステップで後に当該ユーザの識別情報を読取った場合に退室と判断する入退室判断ステップとを含む。
【００２５】
上記の方法によれば、室内領域の出入り口付近に設けられた第１の識別情報読取り部と当該第１の識別情報読取り部から入室方向に沿って間隔をあけて設けられた第２の識別情報読取り部を利用して、ユーザの識別情報を読取って入退室を判断するため、入退室を自動的に正確に管理できる。
【００２６】
上記の入退室管理方法において、前記入退室判断ステップで入室、又は退室と判断したときに、前記室内領域のユーザの残留人数をカウントする残留人数カウントステップと、前記残留人数カウントステップでのカウント値が０のときに、前記入退室判断ステップで入室と判断した場合に、前記室内領域の設備動力源をオンし、当該前記入退室判断ステップで退室と判断したときに、当該残留人数カウント部のカウント値が０になった場合に、当該室内領域の設備動力源をオフする設備動力源制御ステップとを更に備えることが好ましい。
【００２７】
上記の方法によれば、室内領域の残留人数を管理して、設備動力源のオンオフを制御するため、設備動力源の消し忘れがなくなり、省エネ対策の向上が自動的に図れる。
【００２８】
上記の入退室管理方法において、出張及び／又は配送命令の入力を予め受付ける出張及び／又は配送命令入力ステップと、前記出張及び／又は配送命令入力ステップで出張及び／又は配送命令の入力を予め受付けたときに、前記入退室判断ステップで退室と判断した場合に、出張及び／又は配送に出発したことを記録し、前記出張及び／又は配送命令入力ステップで出張及び／又は配送命令の入力を予め受付けたときに、前記入退室判断ステップで入室と判断した場合に、出張及び／又は配送から帰着したことを記録する出張及び／又は配送記録ステップとを更に備えることが好ましい。
【００２９】
上記の方法によれば、出張等の出発、及び帰着を記録できるため、出張等を勤務実績に自動的に反映することができる。
【００３０】
上記の入退室管理方法において、前記識別情報記憶媒体は、ＲＦＩＤカードであり、前記第１、及び第２の識別情報読取り部は、ＲＦＩＤリーダであることが好ましい。
【００３１】
更に、本発明の一実施形態に係る入退室管理プログラムは、室内領域への入退室を管理する入退室管理プログラムであって、コンピュータに、前記室内領域の出入り口からの入退出経路に設けられた第１の識別情報読取り部が識別情報記憶媒体からユーザの識別情報を読取ったときに、当該ユーザの識別情報を第１の識別情報記憶部へ記憶させる第１の識別情報読取りステップと、前記第１の識別情報読取り部から間隔をあけて前記入退出経路に設けられた第２の識別情報読取り部が識別情報記憶媒体からユーザの識別情報を読取ったときに、当該ユーザの識別情報を第２の識別情報記憶部へ記憶させる第２の識別情報読取りステップと、前記第１の識別情報読取りステップで読取ったユーザの識別情報と前記第２の識別情報読取りステップで読取ったユーザの識別情報とが一致するか否かを判断する識別情報判断ステップと、前記識別情報判断ステップにおいて、前記第１の識別情報読取りステップで読取ったユーザ識別情報と前記第２の識別情報読取りステップで読取ったユーザの識別情報とが一致すると判断したときに、前記第１の識別情報読取りステップで先に当該ユーザの識別情報を読取り、前記第２の識別情報読取りステップで後に当該ユーザの識別情報を読取った場合に入室と判断し、前記第２の識別情報読取りステップで先に当該ユーザの識別情報を読取り、前記第１の識別情報読取りステップで後に当該ユーザの識別情報を読取った場合に退室と判断する入退室判断ステップと実行させる。
【００３２】
上記のプログラムによれば、室内領域の出入り口付近に設けられた第１の識別情報読取り部と当該第１の識別情報読取り部から入室方向に沿って間隔をあけて設けられた第２の識別情報読取り部を利用して、ユーザの識別情報を読取って入退室を判断するため、入退室を自動的に正確に管理できる。
【００３３】
上記の入退室管理プログラムにおいて、前記コンピュータに、前記入退室判断部が入室、又は退室と判断したときに、前記室内領域のユーザの残留人数をカウントする残留人数カウントステップと、前記残留人数カウントステップでのカウント値が０のときに、前記入退室判断ステップで入室と判断した場合に、前記室内領域の設備動力源をオンし、当該前記入退室判断ステップで退室と判断したときに、当該残留人数カウント部のカウント値が０になった場合に、当該室内領域の設備動力源をオフする設備動力源制御ステップとを更に実行させることが好ましい。
【００３４】
上記のプログラムによれば、室内領域の残留人数を管理して、設備動力源のオンオフを制御するため、設備動力源の消し忘れがなくなり、省エネ対策の向上が自動的に図れる。
【００３５】
上記の入退室管理プログラムにおいて、前記コンピュータに、出張及び／又は配送命令の入力を予め受付ける出張及び／又は配送命令入力ステップと、前記出張及び／又は配送命令入力ステップで出張及び／又は配送命令の入力を予め受付けたときに、前記入退室判断ステップで退室と判断した場合に、出張及び／又は配送に出発したことを記録し、前記出張及び／又は配送命令入力ステップで出張及び／又は配送命令の入力を予め受付けたときに、前記入退室判断ステップで入室と判断した場合に、出張及び／又は配送から帰着したことを記録する出張及び／又は配送記録ステップとを更に実行させることが好ましい。
【００３６】
上記のプログラムによれば、出張等の出発、及び帰着を記録できるため、出張等を勤務実績に自動的に反映することができる。
【００３７】
上記の入退室管理プログラムにおいて、前記識別情報記憶媒体は、ＲＦＩＤカードであり、前記第１、及び第２の識別情報読取り部は、ＲＦＩＤリーダであることが好ましい。
（実施形態１）
以下、本発明の実施形態１に係る入退室管理システム１００について、図面を参照しながら詳細に説明する。
【００３８】
図１は、本発明の実施形態１に係る入退室管理システム１００が設置された建物の模式図である。建物の出入り口付近には、第１のＲＦＩＤリーダ１１０と第２のＲＦＩＤリーダ１１１とが設置されている。第１のＲＦＩＤリーダ１１０は、この建物に出入りするユーザの入退出経路において、第２のＲＦＩＤリーダ１１１よりも出入り口に近い方に設置され、第２のＲＦＩＤリーダ１１１は、前記の入退出経路において第１のＲＦＩＤリーダ１１０よりも出入り口から遠い側に設置されている。ここで、「出入り口に近い」または「出入り口から遠い」とは、必ずしも、出入り口に対する実際の直線距離における遠近関係を意味するものではなく、ユーザが入退室する際の動線（すなわち入退出経路）上で出入り口に近い（または出入り口から遠い）ことを意味する。つまり、第１のＲＦＩＤリーダ１１０と第２のＲＦＩＤリーダ１１１とは、ユーザが出入り口から入室する場合、まず第１のＲＦＩＤリーダ１１０を通過し、その後、第２のＲＦＩＤリーダ１１１を通過するように配置されている。また、ユーザが出入り口から退室する場合は、この逆に、まず第２のＲＦＩＤリーダ１１１を通過し、その後、第１のＲＦＩＤリーダ１１０を通過することとなる。なお、入退室管理を確実に行うために、第１のＲＦＩＤリーダ１１０と第２のＲＦＩＤリーダ１１１とは、ユーザが入室する際および退室する際に両方を連続して通過するように、ユーザの動線上（入退室経路上）に設置されている。第１のＲＦＩＤリーダ１１０と第２のＲＦＩＤリーダ１１１との設置間隔は、ユーザが入室する際および退室する際に両方を連続して通過することを条件として、任意である。ユーザは、自己の識別情報を記憶したＲＦＩＤカード１０１を所持している。ユーザが、第１のＲＦＩＤリーダ１１０と第２のＲＦＩＤリーダ１１１とを通過すると、それぞれのリーダによって、ＲＦＩＤカード１０１に記憶された識別情報が読取られる。読み取られた識別情報は、第１のＲＦＩＤリーダ１１０と第２のＲＦＩＤリーダ１１１のそれぞれによる読取り時刻と共に、後述するＲＦＩＤ読取りデータマスタ１１３に記録される。
【００３９】
図２は、実施形態１に係る入退室管理システム１００の全体構成を示すブロック図である。図２において、入退室管理システム１００は、ＲＦＩＤカード１０１、第１のＲＦＩＤリーダ１１０、第２のＲＦＩＤリーダ１１１、ＲＦＩＤ配布マスタ１１２、ＲＦＩＤの読取りデータマスタ１１３、行動判断マスタ１１４、識別情報判断部１１５、及び入退室判断部１１６を備える。
【００４０】
第１のＲＦＩＤリーダ１１０は、非接触式のリーダである。すなわち、第１のＲＦＩＤリーダ１１０は、ユーザの識別情報を記憶したＲＦＩＤカード１０１が所定の距離に近付いたときに、当該ＲＦＩＤカード１０１からユーザの識別情報を読取る。第２のＲＦＩＤリーダ１１１も、同様に、非接触式のリーダである。すなわち、第２のＲＦＩＤリーダ１１１も、ユーザの識別情報を記憶したＲＦＩＤカード１０１が所定の距離に近付いたときに、当該ＲＦＩＤカード１０１からユーザの識別情報を読取る。
【００４１】
ＲＦＩＤ配布マスタ１１２は、図３に示すように、ＲＦＩＤコード、氏名（漢字）、氏名（カナ）及び所属の項目からなる識別情報を記憶する複数のＲＦＩＤカード１０１の配布情報を記憶するマスタテーブルである。図３の例では、ＲＦＩＤ配布マスタ１１２は、ＲＦＩＤコード「ＲＦ１２３４５６」、氏名「富士○雄」、氏名「フジマルオ」、及び所属「富士通△部」からなる識別情報を記憶するＲＦＩＤカード１０１の配布情報、ＲＦＩＤコード「ＲＦ５９６２２３」、氏名「通山富子」、氏名「トオヤマトミコ」、及び所属「富士通△部」からなる識別情報を記憶するＲＦＩＤカード１０１の配布情報を記憶している。なお、図３の例はあくまでも一例であって、ＲＦＩＤカード１０１の配布情報の項目はこれらにのみ限定されず、それぞれの項目のデータフォーマットも任意である。
【００４２】
ＲＦＩＤの読取りデータマスタ１１３は、図４に示すように、ＲＦＩＤリーダがＲＦＩＤカードを読取って得られるＲＦＩＤコード、読取り時刻、読取りリーダ種別からなる読取り情報を記憶するマスタテーブルである。図４では、ＲＦＩＤの読取りデータマスタ１１３は、ＲＦＩＤコード「ＲＦ１２３４５６」、読取り時刻「２００８／１０／１／７：００」、読取りリーダ種別「第１のＲＦＩＤリーダ」からなる読取り情報、ＲＦＩＤコード「ＲＦ５９６２２３」、読取り時刻「２００８／１０／１／７：１０」、読取りリーダ種別「第１のＲＦＩＤリーダ」からなる読取り情報、ＲＦＩＤコード「ＲＦ１２３４５６」、読取り時刻「２００８／１０／１／７：１０」、読取りリーダ種別「第２のＲＦＩＤリーダ」からなる読取り情報を記憶している。なお、図４の例はあくまでも一例であって、読取り情報の項目はこれらにのみ限定されず、それぞれの項目のデータフォーマットも任意である。例えば、図４においては、理解を容易にするために、読取りリーダ種別をテキスト情報として提示しているが、第１のＲＦＩＤリーダ１１０、第２のＲＦＩＤリーダ１１２のそれぞれに付与されたリーダコード等によって読取りリーダ種別を表してもよい。
【００４３】
識別情報判断部１１４は、ＲＦＩＤの読取りデータマスタ１１３を参照して、ＲＦＩＤリーダが読取った識別情報のうち、ＲＦＩＤコードが一致する識別情報があるか否かを判断する。
【００４４】
行動判断マスタ１１５は、図５に示すように、ＲＦＩＤリーダの読取り時刻の前後関係を示すリーダ条件とそのときの入退室の判断からなる行動判断情報を記憶するマスタテーブルである。図５では、行動判断マスタ１１５は、「第１のＲＦＩＤリーダ＜第２のＲＦＩＤリーダ」のリーダ条件と判断「入室」からなる行動判断情報、「第１のＲＦＩＤリーダ＞第２のＲＦＩＤリーダ」のリーダ条件と判断「退室」からなる行動判断情報を記憶している。なお、リーダ条件において、「第１のＲＦＩＤリーダ＜第２のＲＦＩＤリーダ」とは、第１のＲＦＩＤリーダ１１０による読取り時刻の方が、第２のＲＦＩＤリーダ１１１による読取り時刻よりも前であることを表す。「第１のＲＦＩＤリーダ＞第２のＲＦＩＤリーダ」とは、その逆に、第１のＲＦＩＤリーダ１１０による読取り時刻の方が、第２のＲＦＩＤリーダ１１１による読取り時刻よりも後であることを表す。また、図５の例もあくまでも一例であって、行動判断マスタの項目はこれらにのみ限定されず、それぞれの項目のデータフォーマットも任意である。
【００４５】
入退室判断部１１６は、ＲＦＩＤの読取りデータマスタ１１３に記憶された読取り情報に基づいて、行動判断マスタ１１５を参照し、ＲＦＩＤリーダの読取り時刻の前後関係を示すリーダ条件が「第１のＲＦＩＤリーダ＜第２のＲＦＩＤリーダ」である場合に入室と判断し、「第１のＲＦＩＤリーダ＞第２のＲＦＩＤリーダ」である場合に退室と判断する。
【００４６】
以下、実施形態１に係る入退室管理システム１００の入退室管理処理について、図６のフロー図に従って説明する。
【００４７】
まず、ＲＦＩＤリーダ１１０、及び／又はＲＦＩＤリーダ１１１は、ＲＦＩＤカード１０１を読取り（ステップＳ６０１）、読取ったＲＦＩＤカード１０１の読取り情報をＲＦＩＤの読取りデータマスタ１１３に記憶する（ステップＳ６０２）。
【００４８】
次に、識別情報判断部１１４は、ＲＦＩＤの読取りデータマスタ１１３を参照して、ＲＦＩＤリーダが読取った識別情報のうち、ＲＦＩＤコードが一致する識別情報があるか否かを判断する（ステップＳ６０３）。
【００４９】
ステップＳ６０３において、ＲＦＩＤコードが一致する識別情報がないと判断された場合、識別情報判断部１１４はステップＳ６０１に処理を戻す。一方、ＲＦＩＤコードが一致する識別情報があると判断された場合、識別情報判断部１１４は、ＲＦＩＤの読取りデータマスタ１１３を参照し、読取りリーダの種別が同じであるか否かを判断する（ステップＳ６０４）。
【００５０】
ステップＳ６０４において、読取りリーダ種別が同じであると判断された場合、識別情報判断部１１４はステップＳ６０１に処理を戻す。一方、読取りリーダ種別が同じでないと判断された場合、ＲＦＩＤの読取りデータマスタ１１３に記憶された読取り情報に基づいて、行動判断マスタ１１５を参照し、ＲＦＩＤリーダの読取り時刻の前後関係を示すリーダ条件が、「第１のＲＦＩＤリーダ＜第２のＲＦＩＤリーダ」であるか否かを判断する（ステップＳ６０５）。
【００５１】
ステップＳ６０５において、ＲＦＩＤリーダの読取り時刻の前後関係を示すリーダ条件が「第１のＲＦＩＤリーダ＜第２のＲＦＩＤリーダ」であると判断された場合、入室と判断して記録する（ステップＳ６０６）。一方、ステップＳ６０５において、ＲＦＩＤリーダの読取り時刻の前後関係を示すリーダ条件が「第１のＲＦＩＤリーダ＞第２のＲＦＩＤリーダ」であると判断された場合、退室と判断して記録する（ステップＳ６０７）
以上説明したように、本実施形態の構成によれば、建物の出入り口からの入退出経路に設けられた第１のＲＦＩＤ読取りリーダと、当該第１のＲＦＩＤ読取りリーダから間隔をあけて前記入退室経路に設けられた第２のＲＦＩＤ読取りリーダを利用して、ＲＦＩＤカードからユーザの識別情報を読取って入退室を判断するため、入退室を自動的に正確に管理できる入退室管理システムを提供することができる。
（実施形態２）
以下、本発明の実施形態２に係る入退室管理システム２００について、図面を参照しながら詳細に説明する。
【００５２】
図７は、実施形態２に係る入退室管理システム２００の概念図である。ユーザが自己の識別情報を記憶したＲＦＩＤカード１０１を所持して、建物の出入り口付近に設けられた建物ＲＦＩＤリーダ１３０と当該建物ＲＦＩＤリーダ１３０から入室方向沿って所定の間隔をあけた部屋の出入り口付近に設けられた部屋ＲＦＩＤリーダ１３１を通過すると、ＲＦＩＤカードに記憶された識別情報が読取られ、それぞれのＲＦＩＤリーダの読取り時刻が記録される。また、建物出入り口付近には、監視カメラ１３２が設置され、建物の出入り口から入室する人を撮影している。
【００５３】
図８は、実施形態２に係る入退室管理システム２００の全体構成を示すブロック図である。なお、実施形態１と同一の構成、及びデータ内容については説明を省略する。図８において、入退室管理システム２００は、建物ＲＦＩＤリーダ１３０、部屋ＲＦＩＤリーダ１３１、ＲＦＩＤ配布マスタ１１２、ＲＦＩＤの読取りデータマスタ１１３、監視カメラ読取りデータマスタ１１７、残留人数カウント部１１８、部屋残留者データマスタ１１９、動力マスタ１２０、設備動力源制御部１２１、及び勤怠データマスタ１２２を更に備える。
【００５４】
建物ＲＦＩＤリーダ１３０は、建物の出入り口付近に設けられ、ユーザの識別情報を記憶したＲＦＩＤカード１０１を近付けることで、当該ユーザの識別情報を読取る非接触式のリーダである。
【００５５】
部屋ＲＦＩＤリーダ１３１は、建物ＲＦＩＤリーダ１３０から入室方向沿って所定の間隔をあけて部屋の出入り口付近に設けられ、ユーザの識別情報を記憶したＲＦＩＤカード１０１を近付けることで、当該ユーザの識別情報を読取る非接触式のリーダである。
【００５６】
ＲＦＩＤ配布マスタ１１２は、図９に示すように、ＲＦＩＤコード、氏名（漢字）、氏名（カナ）及び所属の項目からなる識別情報を記憶するＲＦＩＤカード１０１の配布情報を記憶するマスタテーブルである。図９では、ＲＦＩＤ配布マスタ１１２は、ＲＦＩＤコード「ＲＦ１２３４５６」、氏名「富士○雄」、氏名「フジマルオ」、及び所属「富士通△部」、フロア「５Ｆ」、部屋番号「Ａ５１２」、共有「１Ｆ／５Ｆ」、ＰＣＩＤ「ＰＣ１２３４５６」、ＥＶ利用「有」、社員／業者「社員」からなる識別情報を記憶するＲＦＩＤカード１０１の配布情報、ＲＦＩＤコード「ＲＦ５９６２２３」、氏名「通山富子」、氏名「トオヤマトミコ」、及び所属「富士通△部」、フロア「５Ｆ」、部屋番号「Ａ５１２」、共有「１Ｆ／５Ｆ」、ＰＣＩＤ「ＰＣ１２３４５６」、ＥＶ利用「有」、社員／業者「社員」からなる識別情報を記憶するＲＦＩＤカード１０１の配布情報を記憶している。
【００５７】
ＲＦＩＤの読取りデータマスタ１１３は、図１０に示すように、建物ＲＦＩＤリーダ１３０、部屋ＲＦＩＤリーダ１３１がＲＦＩＤカード１０１を読取って得られるＲＦＩＤコード、読取り時刻、読取りリーダ種別からなる読取り情報を記憶するマスタテーブルである。図１０では、ＲＦＩＤの読取りデータマスタ１１３は、ＲＦＩＤコード「ＲＦ１２３４５６」、読取り時刻「２００８／１０／１／７：００」、読取りリーダ種別「建物ＲＦＩＤリーダ」からなる読取り情報、ＲＦＩＤコード「ＲＦ５９６２２３」、読取り時刻「２００８／１０／１／７：１０」、読取りリーダ種別「建物ＲＦＩＤリーダ」からなる読取り情報、ＲＦＩＤコード「ＲＦ１２３４５６」、読取り時刻「２００８／１０／１／７：１０」、読取りリーダ種別「Ａ５１２部屋ＲＦＩＤリーダ」からなる読取り情報を記憶している。
【００５８】
監視カメラ読取りデータマスタ１１７は、監視カメラ１３２で撮影した人の人数、画像等の読取り情報を記憶するマスタテーブルである。
【００５９】
残留人数カウント部１１８は、入退室判断部１１６が入室、又は退室と判断したときに、部屋内のユーザの残留人数をカウントし、カウントした部屋残留人数を部屋残留者データマスタ１１９に記憶する。
【００６０】
動力マスタ１２０は、図１１に示すように、建物、部屋の各設備の動力情報を記憶するマスタテーブルである。図１１では、動力マスタ１２０は、１Ｆ共有については「電燈」、「給湯」、「ＥＶ」、２Ｆ共有については「電燈」、「給湯」、「ＥＶ」、部屋Ａ１０１については「電燈」、「給湯」、「空調」、部屋Ｂ２０１については「電燈」、「空調」、部屋Ａ５１２については「電燈」、「空調」の動力情報を記憶している。
【００６１】
設備動力源制御部１２１は、残留人数カウント部１１８のカウント値が０のときに、入退室判断部１１６が入室と判断した場合に、動力マスタ１２０を参照して、設備動力源をオンし、入退室判断部１１６が退室と判断したときに、当該残留人数カウント部１１８のカウント値が０になった場合に、動力マスタ１２０を参照して、設備動力源をオフする。
【００６２】
勤怠データマスタ１２２は、図１２に示すように、ＲＦＩＤコード、出勤時刻、退勤時刻、出張命令番号、出発、帰着からなる勤怠情報を記録するマスタテーブルである。図１２では、勤怠データマスタ１２２は、ＲＦＩＤコード「ＲＦ１２３４５６」、出勤時刻「２００８／１０／１／７：００」からなる勤怠情報、ＲＦＩＤコード「ＲＦ５９６２２３」、出勤時刻「２００８／１０／１／７：１５」、出張命令番号「２００８１００１Ｂ９４５６１」、出発「２００８／１０／１／１０：００」、帰着「２００８／１０／１／１５：３０」からなる勤怠情報を記憶している。
【００６３】
以下、実施形態２に係る入退室管理システム２００の入室管理処理について、図１３のフロー図に従って説明する。
【００６４】
まず、建物ＲＦＩＤリーダ１３０は、通過するユーザのＲＦＩＤカード１０１を読取り、読取った情報、及び時刻をＲＦＩＤの読取りデータマスタ１１３に記憶する（ステップＳ１３０１）。その際、監視カメラ１３２は、通過するユーザを撮影し、撮影して読取った通過人数を監視カメラ読取りデータマスタ１１７に記憶する（ステップＳ１３０２）。
【００６５】
次に、入退室判断部１１６は、読取りデータマスタ１１３、及び監視カメラ読取りデータマスタ１１７を参照し、建物ＲＦＩＤリーダ１３１で読取ったユーザの人数と監視カメラ１３２で撮影して読取ったユーザの人数を比較し（ステップＳ１３０３）、建物ＲＦＩＤリーダ１３１で読取ったユーザの人数と監視カメラ１３２で撮影して読取ったユーザの人数が同じであるか否かを判断する（ステップＳ１３０４）。
【００６６】
ステップＳ１３０４において、建物ＲＦＩＤリーダ１３０で読取ったユーザの人数と監視カメラ１３２で撮影して読取ったユーザの人数が同じでないと判断された場合、入退室判断部１１６は、セキュリティ管理者へその旨を通知する（ステップＳ１３０５）。一方、ステップＳ１３０４において、建物ＲＦＩＤリーダ１３０で読取ったユーザの人数と監視カメラ１３２で撮影して読取ったユーザの人数が同じであると判断された場合、入退室判断部１１６は、残留人数カウント部１１８がカウントして得られた部屋残留者データマスタ１１９を確認し（ステップＳ１３０６）、建物内最初のＲＦＩＤ読取りユーザか否かを判断する（ステップＳ１３０７）。
【００６７】
ステップＳ１３０７において、建物内最初のＲＦＩＤ読取りユーザであると判断された場合、設備動力源制御部１２１は、動力マスタ１２０を参照し、建物共有部の電燈を点灯させる（ステップＳ１３０８）。一方、ステップＳ１３０７において、建物内最初のＲＦＩＤ読取りユーザでないと判断された場合、入退室判断部１１６は、ＲＦＩＤ読取りデータマスタ１１３を参照し、当該ユーザの向かうべき部屋を特定する（ステップＳ１３０９）。
【００６８】
次に、入退室判断部１１６は、部屋残留者データマスタ１１９を確認し（ステップＳ１３１０）、部屋内最初のＲＦＩＤ読取りユーザか否かを判断する（ステップＳ１３１１）。
【００６９】
ステップＳ１３１１において、部屋内最初のＲＦＩＤ読取りユーザであると判断された場合、設備動力源制御部１２１は、動力マスタ１２０を参照し、部屋の動力設備を稼動させる（ステップＳ１３１２）。一方、ステップＳ１３１１において、部屋内最初のＲＦＩＤ読取りユーザでないと判断された場合、設備動力源制御部１２１は、ＲＦＩＤ読取りデータマスタ１１３を参照し、当該ユーザの向かうべき部屋までのＥＶ（エレベータ）を呼んでおく（ステップＳ１３１３）。
【００７０】
次に、入退室判断部１１６は、部屋ＲＦＩＤリーダ１３１の読取り時刻をＲＦＩＤ読取りデータマスタ１１３に記憶し（ステップＳ１３１４）、当該部屋ＲＦＩＤリーダ１３１の読取り時刻を出勤時刻として、勤怠データマスタ１２２に記録する（ステップＳ１３１５）。
【００７１】
以上説明したように、本実施形態によれば、建物の出入り口からの入退出経路に設けられた建物ＲＦＩＤ読取りリーダと、当該建物ＲＦＩＤ読取りリーダから間隔をあけて前記入退出経路に設けられた部屋ＲＦＩＤ読取りリーダを利用して、ＲＦＩＤカードからユーザの識別情報を読取って入室を判断するため、入室を自動的に正確に管理できる入退室管理システムを提供することができると共に、残留人数のカウント値が０のときに入室と判断した場合に、設備動力源のオンを制御できる入退室管理システムを提供することができる。
（実施形態３）
以下、本発明の実施形態３に係る入退室管理システム３００について、図面を参照しながら詳細に説明する。
【００７２】
ユーザが自己の識別情報を記憶したＲＦＩＤカード１０１を所持して、建物の出入り口付近に設けられた建物ＲＦＩＤリーダ１３０と当該建物ＲＦＩＤリーダ１３０から入室方向沿って所定の間隔をあけた部屋の出入り口付近に設けられた部屋ＲＦＩＤリーダ１３１を通過すると、ＲＦＩＤカード１０１に記憶された識別情報が読取られ、それぞれのＲＦＩＤリーダの読取り時刻が記録される。
【００７３】
図１４は、実施形態３に係る入退室管理システム３００の全体構成を示すブロック図である。なお、実施形態１、及び実施形態２と同一の構成、及びデータ内容については説明を省略する。図１４において、入退室管理システム３００は、行動判断マスタ１１５、出張及び／又は配送命令入力部１２３、及び出張命令データマスタ１２４を更に備える。
【００７４】
行動判断マスタ１１５は、図１５に示すように、ＲＦＩＤリーダの読取り時刻の前後関係を示すリーダ条件、その他条件、そのときの入退室の判断からなる行動判断情報を記憶するマスタテーブルである。図１５では、行動判断マスタ１１５は、「建物ＲＦＩＤリーダ＜部屋ＲＦＩＤリーダ」のリーダ条件、その他条件「命令なし」、判断「出勤」からなる行動判断情報、「建物ＲＦＩＤリーダ＜部屋ＲＦＩＤリーダ」のリーダ条件、その他条件「命令あり」、判断「帰着」からなる行動判断情報、「建物ＲＦＩＤリーダ＞部屋ＲＦＩＤリーダ」のリーダ条件、その他条件「命令なし」、判断「退勤」からなる行動判断情報、「建物ＲＦＩＤリーダ＞部屋ＲＦＩＤリーダ」のリーダ条件、その他条件「命令あり」、判断「出発」からなる行動判断情報を記憶している。なお、このリーダ条件においても、「建物ＲＦＩＤリーダ＜部屋ＲＦＩＤリーダ」は、建物ＲＦＩＤリーダによる読取り時刻の方が、部屋ＲＦＩＤリーダ１１１による読取り時刻よりも早いことを意味する。
【００７５】
出張及び／又は配送命令入力部１２３は、出張命令及び／又は配送指示命令の入力を予め受付ける。出張命令データマスタ１２４は、図１６に示すように、ＲＦＩＤコード、氏名、申請年月日、出張日時、出張先、出張内容、出張命令番号、帰着予定日時からなる出張命令データを記憶するマスタテーブルである。出張命令データマスタ１２４は、図１６では、ＲＦＩＤコード「ＲＦ５９６２２３」、氏名「通山富子」、申請年月日「２００８／９／２５／１１：２８」、出張日時「２００８／１０／１／１０：００」、出張先「ＹＹ商事」、出張内容「商談打合せ」、出張命令番号「２００８１００１Ｂ９４５６１」、帰着予定日時「２００８／１０／１／１５：００」からなる出張命令データを記憶している。
【００７６】
以下、実施形態３に係る入退室管理システム３００の退室管理処理について、図１７のフロー図に従って説明する。
【００７７】
まず、部屋ＲＦＩＤリーダ１３１は、通過するユーザのＲＦＩＤカードを読取り、読取った情報、及び時刻をＲＦＩＤの読取りデータマスタ１１３に記憶する（ステップＳ１７０１）。
【００７８】
次に、入退室判断部１１６は、出張命令データマスタ１２４を参照し、部屋ＲＦＩＤリーダ１３１で読取ったユーザに出張命令があるか否かを判断する（ステップＳ１７０２）。
【００７９】
ステップＳ１７０２において、出張命令なしと判断された場合、入退室判断部１１６はステップＳ１７０４へ処理を移す。一方、ステップＳ１７０２において、出張命令ありと判断された場合、入退室判断部１１６は、行動判断マスタ１１５を参照し、出張に出発であることを勤怠データマスタ１２０に記録する（ステップＳ１７０３）。
【００８０】
次に、入退室判断部１１６は、ＲＦＩＤの読取りデータマスタ１１３を参照し、ユーザが建物ＲＦＩＤリーダ１３０を通過したか否かを判断する（ステップＳ１７０４）。
【００８１】
ステップＳ１７０４において、建物ＲＦＩＤリーダ１３０を通過していないと判断された場合、入退室判断部１１６は処理を終了する。一方、建物ＲＦＩＤリーダ１３０を通過したと判断された場合、建物ＲＦＩＤリーダの読取り時刻を勤怠データマスタ１２０に記録する（ステップＳ１７０５）。
【００８２】
次に、入退室判断部１１６は、部屋残留者データマスタ１１９を確認し、残留人数カウント部１１８がカウントした部屋残留者が０か否かを判断する（ステップＳ１７０６）。
【００８３】
ステップＳ１７０６において、部屋残留者が０でないと判断された場合、入退室判断部１１６は処理を終了する。一方、ステップＳ１７０６において、部屋残留者が０であると判断された場合、設備動力源制御部１２１は、動力マスタ１１８を参照し、部屋の動力設備を停止させる（ステップＳ１７０７）。
【００８４】
次に、入退室判断部１１６は、部屋残留者データマスタ１１９を確認し、残留人数カウント部１１８がカウントした建物残留者が０か否かを判断する（ステップＳ１７０８）。
【００８５】
ステップＳ１７０８において、建物残留者が０でないと判断された場合、入退室判断部１１６は処理を終了する。一方、ステップＳ１７０８において、建物残留者が０であると判断された場合、設備動力源制御部１２１は、動力マスタ１１８を参照し、建物共有部の動力設備を停止させる（ステップＳ１７０９）。
【００８６】
以上説明したように、本実施形態によれば、建物の出入り口からの入退出経路に設けられた建物ＲＦＩＤ読取りリーダと、当該建物ＲＦＩＤ読取りリーダから間隔をあけて前記入退出経路に設けられた部屋ＲＦＩＤ読取りリーダを利用して、ＲＦＩＤカードからユーザの識別情報を読取って退室を判断するため、退室を自動的に正確に管理できる入退室管理システムを提供することができると共に、退室と判断したときに残留人数のカウント値が０になった場合に、設備動力源のオフを制御できる入退室管理システムを提供することができる。
（実施形態４）
以下、本発明の実施形態４に係る入退室管理システム４００について、図面を参照しながら詳細に説明する。
【００８７】
ユーザが自己の識別情報を記憶したＲＦＩＤカード１０１を所持して、建物の出入り口付近に設けられた建物ＲＦＩＤリーダ１３０と当該建物ＲＦＩＤリーダ１３０から入室方向沿って所定の間隔をあけた部屋の出入り口付近に設けられた部屋ＲＦＩＤリーダ１３１を通過すると、ＲＦＩＤカード１０１に記憶された識別情報が読取られ、それぞれのＲＦＩＤリーダの読取り時刻が記録される。
【００８８】
図１８は、実施形態４に係る入退室管理システム４００の全体構成を示すブロック図である。なお、実施形態１、実施形態２、実施形態３と同一の構成、及びデータ内容については説明を省略する。図１８において、入退室管理システム４００は、配送指示命令データマスタ１２５、及び勤務データマスタ１２６を更に備える。
【００８９】
配送指示命令データマスタ１２５は、図１９に示すように、ＲＦＩＤコード、氏名、申請年月日、受付日時、到着希望日時、配送先、配送品、配送指示命令番号からなる配送指示命令データを記憶するマスタテーブルである。配送指示命令データマスタ１２５は、図１９では、ＲＦＩＤコード「ＲＦ９３２５１６」、氏名「青山哲」、受付日時「２００８／１０／１／９：２８」、到着希望日時「２００８／１０／１／１２：００」、配送先「ＡＡ製作所」、配送品「ＣＰ６６５５４４−ＸＸ」、配送指示命令番号「２００８１００１Ａ４５６９５７」からなる配送指示命令データを記憶している。
【００９０】
勤務データマスタ１２６は、図２０に示すように、ＲＦＩＤコード、出勤時刻、退勤時刻、配送指示命令番号、出発、帰着からなる勤務情報を記録するマスタテーブルである。図２０では、勤務データマスタ１２６は、ＲＦＩＤコード「ＲＦ９２９９１１」、出勤時刻「２００８／１０／１／７：１０」、退勤時刻「２００８／１０／１／１８：００」からなる勤務情報、ＲＦＩＤコード「ＲＦ９３２５１６」、出勤時刻「２００８／１０／１／７：１５」、配送指示命令番号「２００８１００１Ａ４５６９５７」、出発「２００８／１０／１／１０：００」、帰着「２００８／１０／１／１５：３０」からなる勤怠情報を記憶している。
【００９１】
以下、実施形態４に係る入退室管理システム４００の入退室管理処理について、図２１のフロー図に従って説明する。
【００９２】
まず、部屋ＲＦＩＤリーダ１３１は、通過するユーザのＲＦＩＤカード１０１を読取り、読取った情報、及び時刻をＲＦＩＤの読取りデータマスタ１１３に記憶する（ステップＳ２１０１）。
【００９３】
次に、入退室判断部１１６は、出張命令データマスタ１２４を参照し、部屋ＲＦＩＤリーダ１３１で読取ったユーザに出張命令があるか否かを判断する（ステップＳ２１０２）。
【００９４】
ステップＳ２１０２において、出張命令ありと判断された場合、入退室判断部１１６は、勤怠データマスタ１２２に出張命令番号を記憶させる（ステップＳ２１０３）。一方、ステップＳ２１０２において、出張命令なしと判断された場合、入退室判断部１１６は、配送指示命令データマスタ１２５を参照し、部屋ＲＦＩＤリーダ１３１で読取ったユーザに配送指示命令があるか否かを判断する（ステップＳ２１０４）。
【００９５】
ステップＳ２１０４において、配送指示命令がないと判断された場合、入退室判断部１１６はステップＳ２１０６へ処理を移す。一方、ステップＳ２１０４において、配送指示命令があると判断された場合、入退室判断部１１６は、勤務データマスタ１２６に配送指示命令番号を記憶させる（ステップＳ２１０５）。
【００９６】
次に、建物ＲＦＩＤリーダ１３０は、通過するユーザのＲＦＩＤカード１０１を読取り、読取った情報、及び時刻をＲＦＩＤの読取りデータマスタ１１３に記憶する（ステップＳ２１０６）。
【００９７】
次に、入退室判断部１１６は、勤怠データマスタ１２２、又は勤務データマスタ１２６の該当する命令番号の出発欄へ部屋ＲＦＩＤ１３１での読取り時刻を記憶させる（ステップＳ２１０７）。
【００９８】
次に、建物ＲＦＩＤリーダ１３０は、通過するユーザのＲＦＩＤカード１０１を読取り、読取った情報、及び時刻をＲＦＩＤの読取りデータマスタ１１３に記憶する（ステップＳ２１０８）。
【００９９】
次に、部屋ＲＦＩＤリーダ１３１は、通過するユーザのＲＦＩＤカード１０１を読取り、読取った情報、及び時刻をＲＦＩＤの読取りデータマスタ１１３に記憶する（ステップＳ２１０９）。
【０１００】
次に、入退室判断部１１６は、出張命令データマスタ１２４を参照し、建物ＲＦＩＤリーダ１３０、部屋ＲＦＩＤリーダ１３１で読取ったユーザに出張命令があるか否かを判断する（ステップＳ２１１０）。
【０１０１】
ステップＳ２１１０において、出張命令があると判断された場合、入退室判断部１１６は、勤怠データマスタ１２２の該当出張番号の帰着欄へ部屋ＲＦＩＤリーダ読取り時刻を記憶させる（ステップＳ２１１１）。一方、ステップＳ２１１０において、出張命令がないと判断された場合、入退室判断部１１６は、配送指示命令があるか否かを判断する（ステップＳ２１１２）。
【０１０２】
ステップＳ２１１２において、配送指示命令がないと判断された場合、入退室判断部１１６は処理を終了する。一方、ステップＳ２１１２において、配送指示命令があると判断された場合、勤務データマスタ１２６の該当配送指示命令番号の帰着欄へ部屋ＲＦＩＤ読取り時刻を記憶させる（ステップＳ２１１３）。
【０１０３】
以上説明したように、本実施形態で説明した構成によれば、建物の出入り口から入退室経路に設けられた建物ＲＦＩＤ読取りリーダと、当該建物ＲＦＩＤ読取りリーダから間隔をあけて前記入退室経路に設けられた部屋ＲＦＩＤ読取りリーダを利用して、ＲＦＩＤカードからユーザの識別情報を読取って入退室を判断する。これにより、入退室を自動的に正確に管理できる入退室管理システムを提供することができると共に、出張等の出発、及び帰着を記録できるため、出張等を勤務実績に自動的に反映することができる入退室管理システムを提供することができる。
【０１０４】
上記実施形態で説明した構成は、単に具体例を示すものであり、本発明の技術的範囲を制限するものではない。本発明の効果を奏する範囲において、任意の構成を採用することが可能である。
【０１０５】
なお、上記実施形態１〜４では、システムとしての実施形態を説明したが、本発明は、入退室管理サーバとしての実施も可能である。この場合、入退室管理サーバは、上記した各マスタ、識別情報判断部、入退室判断部を含む構成とすればよい。また、識別情報記憶媒体、識別情報読取り部は、ＲＦＩＤカード、ＲＦＩＤリーダに限らず、ユーザを特定できる非接触のセンサを含む各種センサであってもよい。
【０１０６】
なお、本発明の実施形態は、上述した実施形態を実現するソフトウェアのプログラム（実施の形態では図に示すフロー図に対応したプログラム）が装置に供給され、その装置のコンピュータが、供給されたプログラムを読出して、実行することによっても達成せれる場合を含む。したがって、本実施形態で説明した機能処理をコンピュータで実現するために、コンピュータにインストールされるプログラム自体も本発明の一実施形態である。つまり、本発明の機能処理を実現させるためのプログラムも、実施形態の一側面に含まれる。
【０１０７】
以上の実施形態１〜実施形態４に関し、さらに以下の付記を開示する。
【０１０８】
（付記１）
室内領域へのユーザの入退室を管理する入退室管理システムであって、
識別情報記憶媒体と、
前記室内領域の出入り口からの入退出経路に設けられ、前記識別情報記憶媒体を所持したユーザが通過した際に、当該識別情報記憶媒体に記憶されたユーザの識別情報を読取る第１の識別情報読取り部と、
前記入退出経路に、前記第１の識別情報読取り部から間隔をあけて設けられ、前記識別情報記憶媒体を所持したユーザが通過した際に、当該識別情報記憶媒体に記憶されたユーザの識別情報を読取る第２の識別情報読取り部と、
前記第１の識別情報読取り部が読取ったユーザの識別情報と前記第２の識別情報読取り部が読取ったユーザの識別情報とが一致するか否かを判断する識別情報判断部と、
前記識別情報判断部が前記第１の識別情報読取り部が読取ったユーザ識別情報と前記第２の識別情報読取り部が読取ったユーザの識別情報とが一致すると判断したときに、前記第１の識別情報読取り部が先に当該ユーザの識別情報を読取り、前記第２の識別情報読取り部が後に当該ユーザの識別情報を読取った場合に入室と判断し、前記第２の識別情報読取り部が先に当該ユーザの識別情報を読取り、前記第１の識別情報読取り部が後に当該ユーザの識別情報を読取った場合に退室と判断する入退室判断部とを備えることを特徴とする、入退室管理システム。
【０１０９】
（付記２）
前記入退室判断部が入室、又は退室と判断したときに、前記所定の室内領域のユーザの残留人数をカウントする残留人数カウント部と、
前記残留人数カウント部のカウント値が０のときに、前記入退室判断部が入室と判断した場合に、前記所定の室内領域の設備動力源をオンし、当該前記入退室判断部が退室と判断したときに、当該残留人数カウント部のカウント値が０になった場合に、当該所定の室内領域の設備動力源をオフする設備動力源制御部とを更に備える、付記１に記載の入退室管理システム。
【０１１０】
（付記３）
出張及び／又は配送命令の入力を予め受付ける出張及び／又は配送命令入力部と、
前記出張及び／又は配送命令入力部が出張及び／又は配送命令の入力を予め受付けたときに、前記入退室判断部が退室と判断した場合に、出張及び／又は配送に出発したことを記録し、前記出張及び／又は配送命令入力部が出張及び／又は配送命令の入力を予め受付けたときに、前記入退室判断部が入室と判断した場合に出張及び／又は配送から帰着したことを記録する出張及び／又は配送記録部とを更に備える、付記１に記載の入退室管理システム。
【０１１１】
（付記４）
前記識別情報記憶媒体は、ＲＦＩＤ（Radio Frequency IDentification）カードであり、前記第１、及び第２の識別情報読取り部は、ＲＦＩＤリーダである、付記１〜３のいずれかに記載の入退室管理システム。
【０１１２】
（付記５）
室内領域への入退室を管理する入退室管理サーバであって、
前記室内領域の出入り口からの入退出経路に設けられた第１の識別情報読取り部が識別情報記憶媒体からユーザの識別情報を読取ったときに、当該ユーザの識別情報を記憶する第１の識別情報記憶部と、
前記第１の識別情報読取り部から間隔をあけて前記入退出経路に設けられた第２の識別情報読取り部が識別情報記憶媒体からユーザの識別情報を読取ったときに、当該ユーザの識別情報を記憶する第２の識別情報記憶部と、
前記第１の識別情報記憶部に記憶されたユーザの識別情報と前記第２の識別情報記憶部に記憶されたユーザの識別情報とが一致するか否かを判断する識別情報判断部と、
前記識別情報判断部が前記第１の識別情報記憶部に記憶されたユーザ識別情報と前記第２の識別情報記憶部に記憶されたユーザの識別情報とが一致すると判断したときに、前記第１の識別情報記憶部が先に当該ユーザの識別情報を記憶し、前記第２の識別情報記憶部が後に当該ユーザの識別情報を記憶した場合に入室と判断し、前記第２の識別情報記憶部が先に当該ユーザの識別情報を記憶し、前記第１の識別情報記憶部が後に当該ユーザの識別情報を記憶した場合に退室と判断する入退室判断部とを備えることを特徴とする、入退室管理サーバ。
【０１１３】
（付記６）
前記入退室判断部が入室、又は退室と判断したときに、前記所定の室内領域のユーザの残留人数をカウントする残留人数カウント部と、
前記残留人数カウント部のカウント値が０のときに、前記入退室判断部が入室と判断した場合に、前記所定の室内領域の設備動力源をオンし、当該前記入退室判断部が退室と判断したときに、当該残留人数カウント部のカウント値が０になった場合に、当該所定の室内領域の設備動力源をオフする設備動力源制御部とを更に備える、付記５に記載の入退室管理サーバ。
【０１１４】
（付記７）
出張及び／又は配送命令の入力を予め受付ける出張及び／又は配送命令入力部と、
前記出張及び／又は配送命令入力部が出張及び／又は配送命令の入力を予め受付けたときに、前記入退室判断部が退室と判断した場合に、出張及び／又は配送に出発したことを記録し、前記出張及び／又は配送命令入力部が出張及び／又は配送命令の入力を予め受付けたときに、前記入退室判断部が入室と判断した場合に、出張及び／又は配送から帰着したことを記録する出張及び／又は配送記録部とを更に備える、付記５に記載の入退室管理サーバ。
【０１１５】
（付記８）
前記識別情報記憶媒体は、ＲＦＩＤカードであり、前記第１、及び第２の識別情報読取り部は、ＲＦＩＤリーダである、付記５〜７のいずれかに記載の入退室管理サーバ。
【０１１６】
（付記９）
室内領域への入退室を管理する入退室管理方法であって、
識別情報記憶媒体を所持したユーザが前記室内領域の出入り口からの入退出経路に設けられた第１の識別情報読取り部を通過した際に、当該第１の識別情報読取り部により、当該識別情報記憶媒体に記憶された識別情報を読取る第１の識別情報読取りステップと、
前記識別情報記憶媒体を所持したユーザが前記第１の識別情報読取り部から間隔をあけて前記入退出経路に設けられた第２の識別情報読取り部を通過した際に、当該第２の識別情報読取り部により、前記識別情報記憶媒体に記憶された識別情報を読取る第２の識別情報読取りステップと、
前記第１の識別情報読取りステップで読取ったユーザの識別情報と前記第２の識別情報読取りステップで読取ったユーザの識別情報とが一致するか否かを判断する識別情報判断ステップと、
前記識別情報判断ステップにおいて、前記第１の識別情報読取りステップで読取ったユーザ識別情報と前記第２の識別情報読取りステップで読取ったユーザの識別情報とが一致すると判断したときに、前記第１の識別情報読取りステップで先に当該ユーザの識別情報を読取り、前記第２の識別情報読取りステップで後に当該ユーザの識別情報を読取った場合に入室と判断し、前記第２の識別情報読取りステップで先に当該ユーザの識別情報を読取り、前記第１の識別情報読取りステップで後に当該ユーザの識別情報を読取った場合に退室と判断する入退室判断ステップとを備えることを特徴とする、入退室管理方法。
【０１１７】
（付記１０）
前記入退室判断ステップで入室、又は退室と判断したときに、前記所定の室内領域のユーザの残留人数をカウントする残留人数カウントステップと、
前記残留人数カウントステップでのカウント値が０のときに、前記入退室判断ステップで入室と判断した場合に、前記所定の室内領域の設備動力源をオンし、当該前記入退室判断ステップで退室と判断したときに、当該残留人数カウント部のカウント値が０になった場合に、当該所定の室内領域の設備動力源をオフする設備動力源制御ステップとを更に備える、付記９に記載の入退室管理方法。
【０１１８】
（付記１１）
出張及び／又は配送命令の入力を予め受付ける出張及び／又は配送命令入力ステップと、
前記出張及び／又は配送命令入力ステップで出張及び／又は配送命令の入力を予め受付けたときに、前記入退室判断ステップで退室と判断した場合に、出張及び／又は配送に出発したことを記録し、前記出張及び／又は配送命令入力ステップで出張及び／又は配送命令の入力を予め受付けたときに、前記入退室判断ステップで入室と判断した場合に、出張及び／又は配送から帰着したことを記録する出張及び／又は配送記録ステップとを更に備える、付記９に記載の入退室管理方法。
【０１１９】
（付記１２）
前記識別情報記憶媒体は、ＲＦＩＤカードであり、前記第１、及び第２の識別情報読取り部は、ＲＦＩＤリーダである、付記９〜１１のいずれかに記載の入退室管理方法。
【０１２０】
（付記１３）
室内領域への入退室を管理する入退室管理プログラムであって、
コンピュータに、
前記室内領域の出入り口からの入退出経路に設けられた第１の識別情報読取り部が識別情報記憶媒体からユーザの識別情報を読取ったときに、当該ユーザの識別情報を第１の識別情報記憶部へ記憶させる第１の識別情報読取りステップと、
前記第１の識別情報読取り部から間隔をあけて前記入退出経路に設けられた第２の識別情報読取り部が識別情報記憶媒体からユーザの識別情報を読取ったときに、当該ユーザの識別情報を第２の識別情報記憶部へ記憶させる第２の識別情報読取りステップと、
前記第１の識別情報読取りステップで読取ったユーザの識別情報と前記第２の識別情報読取りステップで読取ったユーザの識別情報とが一致するか否かを判断する識別情報判断ステップと、
前記識別情報判断ステップにおいて、前記第１の識別情報読取りステップで読取ったユーザ識別情報と前記第２の識別情報読取りステップで読取ったユーザの識別情報とが一致すると判断したときに、前記第１の識別情報読取りステップで先に当該ユーザの識別情報を読取り、前記第２の識別情報読取りステップで後に当該ユーザの識別情報を読取った場合に入室と判断し、前記第２の識別情報読取りステップで先に当該ユーザの識別情報を読取り、前記第１の識別情報読取りステップで後に当該ユーザの識別情報を読取った場合に退室と判断する入退室判断ステップと実行させることを特徴とする、入退室管理プログラム。
【０１２１】
（付記１４）
前記コンピュータに、
前記入退室判断部が入室、又は退室と判断したときに、前記所定の室内領域のユーザの残留人数をカウントする残留人数カウントステップと、
前記残留人数カウントステップでのカウント値が０のときに、前記入退室判断ステップで入室と判断した場合に、前記所定の室内領域の設備動力源をオンし、当該前記入退室判断ステップで退室と判断したときに、当該残留人数カウント部のカウント値が０になった場合に、当該所定の室内領域の設備動力源をオフする設備動力源制御ステップとを更に実行させる、付記１３に記載の入退室管理プログラム。
【０１２２】
（付記１５）
前記コンピュータに、
出張及び／又は配送命令の入力を予め受付ける出張及び／又は配送命令入力ステップと、
前記出張及び／又は配送命令入力ステップで出張及び／又は配送命令の入力を予め受付けたときに、前記入退室判断ステップで退室と判断した場合に、出張及び／又は配送に出発したことを記録し、前記出張及び／又は配送命令入力ステップで出張及び／又は配送命令の入力を予め受付けたときに、前記入退室判断ステップで入室と判断した場合に、出張及び／又は配送から帰着したことを記録する出張及び／又は配送記録ステップとを更に実行させる、付記１３に記載の入退室管理プログラム。
【０１２３】
（付記１６）
前記識別情報記憶媒体は、ＲＦＩＤカードであり、前記第１、及び第２の識別情報読取り部は、ＲＦＩＤリーダである、付記１３〜１５のいずれかに記載の入退室管理プログラム。
【符号の説明】
【０１２４】
１００  入退室管理システム
１０１  ＲＦＩＤカード
１１０  第１のＲＦＩＤリーダ
１１１  第２のＲＦＩＤリーダ
１１２  ＲＦＩＤ配布マスタ
１１３  ＲＦＩＤ読取りデータマスタ
１１４  識別情報判断部
１１５  行動判断マスタ
１１６  入退室判断部
１１７  監視カメラ読取りデータマスタ
１１８  動力マスタ
１１９  設備動力源制御部
１２０  勤怠データマスタ
１２１  残留人数カウント部
１２２  部屋残留者データマスタ
１２３  出張及び／又は配送命令入力部
１２４  出張命令データマスタ
１２５  配送指示命令データマスタ
１２６  勤務データマスタ
【図１】
2010225067.tif 000003
【図２】
2010225067.tif 000004
【図３】
2010225067.tif 000005
【図４】
2010225067.tif 000006
【図５】
2010225067.tif 000007
【図６】
2010225067.tif 000008
【図７】
2010225067.tif 000009
【図８】
2010225067.tif 000010
【図９】
2010225067.tif 000011
【図１０】
2010225067.tif 000012
【図１１】
2010225067.tif 000013
【図１２】
2010225067.tif 000014
【図１３】
2010225067.tif 000015
【図１４】
2010225067.tif 000016
【図１５】
2010225067.tif 000017
【図１６】
2010225067.tif 000018
【図１７】
2010225067.tif 000019
【図１８】
2010225067.tif 000020
【図１９】
2010225067.tif 000021
【図２０】
2010225067.tif 000022
【図２１】
2010225067.tif 000023